(57)【要約】      （修正有）【課題】ゴミの量に応じて設置スペースを可変にすることができ、ゴミ袋を廃棄する時の処理を容易にするゴミ袋収容ロール体を提供する。【解決手段】シート体３を所定の軸心まわりに巻回したゴミ袋収容ロール体１であって、シート体３は、第１シート４の裏面と、第２シート５の裏面とを貼り合わせるように固定された固定体６であり、第１シート４は第１短辺８と第１長辺９とを備えた長方形形状を有し、第２シート５は第２短辺１０と第２長辺１１と、を備えた長方形形状を有し、第１短辺８と第２短辺１０とは互いに長さが等しく、第１長辺９は、前記第２長辺１１よりも長く、第１シート４は第１露出部１２を備え、第２シート５は第２露出部１３を備え、第１シート４の第１中心位置１４と第２シート５第２中心位置１５とは、ゴミ袋収容ロール体１の周方向にずれた位置にあり、シート体３はさらに一対の縁取り部材７を有する。【選択図】図２
0003233086.tif 000002
【実用新案登録請求の範囲】
【請求項１】
ゴミ袋を収容する無底円筒を構築するためのシート体を、所定の軸心まわりに巻回したゴミ袋収容ロール体であって、
前記シート体は、
表面に第１模様が形成された第１シートの裏面と、表面に第２模様が形成された第２シートの裏面とを、前記巻回時において前記第１シートを外周側とし前記第２シートを内周側となるように貼り合わせるように固定された固定体であり、
前記第１シートは、
前記軸心に沿う軸心方向に延びる一対の第１短辺と、前記軸心方向に直交する直交方向に延びる一対の第１長辺と、を備えた長方形形状を有しており、
前記第２シートは、
前記軸心に沿う軸心方向に延びる一対の第２短辺と、前記軸心方向に直交する直交方向に延びる一対の第２長辺と、を備えた長方形形状を有しており、
前記第１短辺と前記第２短辺とは、互いに等しい長さを有しており、
前記第１長辺は、前記第２長辺よりも大きな長さを有しており、
前記シート体は、
前記第１シートの前記一対の第１長辺の前記軸心方向の位置と、前記第２シートの前記第２長辺の前記軸心方向の位置とを、一致させつつ固定された前記固定体であり、
前記第１シートは、
前記第２シートと固定された状態における前記ゴミ袋収容ロール体の周方向に沿う一端側に、前記裏面が露出する第１露出部を備えており、
前記第２シートは、
前記第１シートと固定された状態における前記ゴミ袋収容ロール体の周方向に沿う他端側に、前記裏面が露出する、前記第１露出部と略同じ広さの第２露出部を備えており、
前記第１シートの面方向における第１中心位置と、前記第２シートの面方向における第２中心位置とは、前記周方向にずれた位置にあり、
前記シート体は、さらに、
前記第１長辺及び前記第２長辺のうち、少なくとも、前記ゴミ袋収容ロール体において周方向に重なりあう部位を縁取って覆う、一対の縁取り部材を有する
ことを特徴とするゴミ袋収容ロール体。
【請求項２】
請求項１記載のゴミ袋収容ロール体において、
前記第１シート及び前記第２シートは、それぞれ、
樹脂製のクッションフロア材である
ことを特徴とするゴミ袋収容ロール体。
【請求項３】
請求項１又は請求項２記載のゴミ袋収容ロール体において、
前記縁取り部材は、
略Ｕ字状の横断面形状を備えた、塩化ビニール材である
ことを特徴とするゴミ袋収容ロール体。
【考案の詳細な説明】
【技術分野】
【０００１】
本考案は、ゴミ袋収容ロール体に関する。
【背景技術】
【０００２】
従来、ごみ袋保持体を備えたごみ箱が知られている（例えば、特許文献１参照）。この従来技術のごみ箱は、特許文献１の図１〜図２等において、ごみ箱本体１２と、ごみ箱本体１２内に挿入されるごみ袋を保持するごみ袋保持体１４とを備え、ごみ箱本体１２は上部が開口し、底部が塞がっている容器からなることが記載されている。
【先行技術文献】
【特許文献】
【０００３】
【特許文献１】実用新案登録第３２１４６３７号公報
【考案の概要】
【考案が解決しようとする課題】
【０００４】
上記従来技術のごみ箱は、形状が円筒状に固定されており、中のゴミ袋に収容されるごみの量が多くても少なくても、ごみ箱を配置するのにある程度の広さの設置スペースが必ず必要となる。また有底形状なので、ゴミ袋を廃棄するとき、ゴミ袋のほうを容器から取り出す必要があり、重いうえに手間がかかるという課題があった。
【０００５】
本考案の目的は、ゴミの量に応じて設置スペースを可変にすることができ、ゴミ袋を廃棄する時の処理を容易にできるゴミ袋収容ロール体を提供することにある。
【課題を解決するための手段】
【０００６】
上記目的を達成するために、本願考案は、ゴミ袋を収容する無底円筒を構築するためのシート体を、所定の軸心まわりに巻回したゴミ袋収容ロール体であって、前記シート体は、表面に第１模様が形成された第１シートの裏面と、表面に第２模様が形成された第２シートの裏面とを、前記巻回時において前記第１シートを外周側とし前記第２シートを内周側となるように貼り合わせるように固定された固定体であり、前記第１シートは、前記軸心に沿う軸心方向に延びる一対の第１短辺と、前記軸心方向に直交する直交方向に延びる一対の第１長辺と、を備えた長方形形状を有しており、前記第２シートは、前記軸心に沿う軸心方向に延びる一対の第２短辺と、前記軸心方向に直交する直交方向に延びる一対の第２長辺と、を備えた長方形形状を有しており、前記第１短辺と前記第２短辺とは、互いに等しい長さを有しており、前記第１長辺は、前記第２長辺よりも大きな長さを有しており、前記シート体は、前記第１シートの前記一対の第１長辺の前記軸心方向の位置と、前記第２シートの前記第２長辺の前記軸心方向の位置とを、一致させつつ固定された前記固定体であり、前記第１シートは、前記第２シートと固定された状態における前記ゴミ袋収容ロール体の周方向に沿う一端側に、前記裏面が露出する第１露出部を備えており、前記第２シートは、前記第１シートと固定された状態における前記ゴミ袋収容ロール体の周方向に沿う他端側に、前記裏面が露出する、前記第１露出部と略同じ広さの第２露出部を備えており、前記第１シートの面方向における第１中心位置と、前記第２シートの面方向における第２中心位置とは、前記周方向にずれた位置にあり、前記シート体は、さらに、前記第１長辺及び前記第２長辺のうち、少なくとも、前記ゴミ袋収容ロール体において周方向に重なりあう部位を縁取って覆う、一対の縁取り部材を有することを特徴とする。
【０００７】
ユーザは、シート体の一端側にある第１シートの第１露出部を外周側、第２シートの第２露出部を内周側、としつつ、それら第１露出部と第２露出部とを径方向に重ねるようにして貼り合わせることで、簡単に円筒形状のゴミ袋収容ロール体を形成し、ゴミ箱、正確にはゴミ袋の収容箱として利用することができる。実際は、例えば容量４５リットルのゴミ袋の８割程度がちょうど収まるようにすることができる。
【０００８】
また、本考案のゴミ袋収容ロール体は円筒形状で底がないので、組立後、使用前は、径方向に押圧して扁平にしておくことで、家具や冷蔵庫と壁との隙間等、狭いスペースに収納しておくことができ、邪魔にならない（例えばゴミ袋収容ロール体全体の厚みを１０ｃｍ程度に押しつぶすことも可能である）。押圧の度合いにより扁平度を可変にできるので、使用開始後においても、ゴミ袋中のゴミが少なければやや扁平とし、ゴミの増大に伴ってゴミ袋収容ロール体の大きさを徐々に大きくすることも可能である。そして、ゴミ袋収容ロール体内部のゴミ袋の中の８割程度が一杯になったら、（ゴミ袋をゴミ袋収容ロール体から取り出すのではなく）ゴミ袋収容ロール体のほうを上方へ引き抜くことで、簡単にゴミ袋から分離でき、残ったゴミ袋をゴミ捨て場に持っていくことができる。
【０００９】
また、裏面同士が固定されている第１シート及び第２シートの大部分が軸心方向両側にある一対の縁取り部材で縁取られている。これにより、第１シートと第２シートとが堅固に固定され、輸送時、組立前、さらにゴミ袋収容ロール体として組み立てた後においても、ばらけたりほどけたりするのが防止できる。縁取り部材は、ゴミ袋収容ロール体における上下端の強度補強としても寄与し、さらに外観上の見た目の美観も向上できる。
【考案の効果】
【００１０】
本考案のゴミ袋収容ロール体によれば、ゴミの量に応じて設置スペースを可変にすることができ、ゴミ袋を廃棄する時の処理を容易にできる。
【図面の簡単な説明】
【００１１】
【図１】本実施形態に係るゴミ袋収容ロール体を円筒状に組み立ててゴミ袋を収容した状態を表す斜視図である。
【図２】図１のゴミ袋収容ロール体の展開図である。図である。
【図３】図２のゴミ袋収容ロール体を複数回巻いた状態を表す斜視図である。
【図４】図２のゴミ袋収容ロール体の製造工程を示すフローチャートである。
【図５】図４で製造したゴミ袋収容ロール体の組み立て方法を示す概念図である。
【図６】図１のゴミ袋収容ロール体の使用方法を説明する概念図である。
【考案を実施するための形態】
【００１２】
以下、本考案の一実施形態を図面を参照して説明する。
【００１３】
図１は、本実施形態に係るゴミ袋収容ロール体１を無底円筒状に組み立てて設置面に平置きした状態を表す斜視図である。ゴミ袋収容ロール体１の内部にはゴミ袋２が収容されている。ゴミ袋収容ロール体１は、ゴミ袋２を収容する無底円筒を構築するためのシート体３を、ゴミ袋収容ロール体１の接地面（図示なし）に対する鉛直方向と平行な軸心Ｘまわりに巻回して構成される。
【００１４】
シート体３は、表面に第１模様１８が形成された第１シート４の裏面と、表面に第２模様１９が形成された第２シート５の裏面とを、前記巻回時において第１シート４を外周側Ｐとし前記第２シート５を内周側Ｉとなるように貼り合わせるように固定された固定体６である。
【００１５】
前記シート体３は、さらに、一対の縁取り部材７を有する。縁取り部材７は例えば塩化ビニール材により構成される。
【００１６】
図１の拡大断面図に示すように、縁取り部材７は略Ｕ字状の横断面形状を備え、ゴミ袋収容ロール体１の外周側Ｐに配置される第１シート４の裏面と、内周側Ｉに配置される第２シート５の裏面とを貼り合わせて構成されるシート体３の端部を縁取っている。
【００１７】
第１シート４及び第２シート５は、それぞれ樹脂製のクッションフロア材である。クッションフロア材は、ビニールなどの樹脂素材にクッション材が裏打ちされた長尺のシート材であり、軽量で、適度な弾力性を有し、また耐久性、防汚性にも優れ、掃除も行いやすい。クッションフロア材を第１シート４及び第２シート５に用いると、適度な厚みを有しておりゴミ袋収容ロール体１にシワが寄りにくい。クッションフロア材は様々の模様のものが市販されている。図１の第１シート４及び第２シート５では、第１模様１８及び第２模様１９としてそれぞれフローリング材を模した木目模様が用いられている。
【００１８】
ゴミ袋収容ロール体の大きさ１は、例えば容量が４５リットル等の、比較的大容量のゴミ袋２の体積の８割程度を収容することができる大きさとなっている。ゴミ袋２に満杯状態にゴミを詰めると袋の口が閉まらず破裂する可能性があるためである。ゴミ袋２を廃棄する際には、ゴミ袋２の、ゴミ袋収容ロール体１の上端からはみ出した残り二割の箇所を結び合わせて廃棄する。
【００１９】
図１に示す上下方向は、接地面に向かう方向を下方向、その逆方向を上方向としている。図１の上下方向は接地面に対する鉛直方向と一致し、軸心Ｘで示される軸心方向と平行である。
【００２０】
図２は、図１のゴミ袋収容ロール体１を円筒状に組み立てる前の状態の展開図である。図２は、ゴミ袋収容ロール体１の第２シート５が配置された内周側Ｉの側を表面として接地面に平置きし、上方向から見た時の平面図である。
【００２１】
図２の上下方向は接地面に対して垂直に向かう方向を下方向、その逆方向を上方向としている。前後方向、左右方向はそれぞれ上下方向に直交する方角である。図１におけるゴミ袋収容ロール体１の軸心方向が図２の前後方向に一致し、ゴミ袋収容ロール体１の無底円筒の周方向は図２の左右方向に一致する。
【００２２】
第１シート４は、図１の軸心Ｘに沿う軸心方向（図２における前後方向）に延びる一対の第１短辺８と、前記軸心方向に直交する直交方向（図２における左右方向）に延びる一対の第１長辺９とを備えた長方形形状を有する。
【００２３】
第２シート５は、前記軸心Ｘに沿う軸心方向（図２における前後方向）に延びる一対の第２短辺１０と、前記軸心方向に直交する直交方向（図２における左右方向）に延びる一対の第２長辺１１とを備えた長方形形状を有する。
【００２４】
第１短辺８と第２短辺１０とは、互いに長さが等しい。第１長辺９は、第２長辺１１よりも長くなっている。シート体３の素材であるクッションフロア材は少なくとも数ミリメートル程度の厚みを有するため、第１シート４と第２シート５とを貼り合わせ、円筒状に組み立てた時に、前記長辺同士が完全に同じ長さであると、ゴミ袋収容ロール体１の内側にシワが寄りやすくなる。そのため内周側Ｉに配置される第２シート５は、外周側Ｐに配置される第１シート４よりもわずかに周方向の長さすなわち第２長辺１１が短くなっている。
【００２５】
図２に示すＬ１は第１長辺９の長さであり、Ｌ２は第２長辺１１の長さである。Ｌ１はＬ２より長くなっている。Ｌ１―Ｌ２は例えば１センチメートルである。好ましくはＬ１―Ｌ２は５ミリメートル〜６ミリメートルの範囲にある。
【００２６】
シート体３は、第１シート４の第１長辺９の前記軸心方向の位置と、第２シート５の第２長辺１１の前記軸心方向の位置とを、一致させつつ固定された固定体６である。すなわち、図１の拡大断面図にも示すように、縁取り部材７の内側において、第１シート４の第１長辺９及び第２シート５の第２長辺１１とは軸心方向の位置が同じとなるように重ねられて配置されている。
【００２７】
第１シート４は、第２シート５と固定された状態におけるゴミ袋収容ロール体１の周方向に沿う一端側に、第１シート４の裏面が露出する第１露出部１２を備えており、第２シート５は、第１シート４と固定された状態におけるゴミ袋収容ロール体１の周方向に沿う他端側に、第２シート５の裏面が露出する、前記第１露出部１２と略同じ広さの第２露出部１３を備える。
【００２８】
後述するように、ゴミ袋収容ロール体１は第１露出部１２と第２露出部１３とを重ねて貼り合わせて円筒状に組み立てるものである。この図では、第２シート４の第２露出部１３は、第１シート４の第１露出部１２の縁取り部材７と重なる領域、すなわち前後方向の端部が切り取られた形状になっている。これは、ユーザ側でゴミ袋収容ロール体１を組み立てる場合に組み立てやすくするためであり、例えば最初から円筒状に組み立てた状態で販売する場合などには、このように端部を切り取っていなくてもよい。
【００２９】
第１シート４の面方向における第１中心位置１４と、第２シート５の面方向における第２中心位置１５とは、前記周方向にずれた位置にあり、シート体３に備えられた一対の縁取り部材７は、第１長辺９及び第２長辺１１のうち、少なくとも、ゴミ袋収容ロール体１において周方向に重なりあう部位１６を縁取って覆っている。
【００３０】
第１中心位置１４と第２中心位置１５とは、例えば前記周方向において１０センチメートル程度ずれている。このように、第１シート４の第１中心位置１４と、第２シート５の第２中心位置１５とをゴミ袋収容ロール体１の周方向にずらして貼り合わせておき、これによって形成された第１露出部１２と第２露出部１３とを例えばユーザが自身で貼り合わせてゴミ袋収容ロール体１を円筒状に組み立てると、ゴミ袋収容ロール体１のシート体３のほぼ全面を２枚のクッションフロア材が重なった状態で構成することができ、クッションフロア材が例えば４枚重なってしまい、縁取り部材７で縁取れない箇所が出たり形状がいびつになるようなことがない。
【００３１】
図２のゴミ袋収容ロール体１の展開図は、ゴミ袋収容ロール体１を組み立てる前の状態である。ゴミ袋収容ロール体１を図１の組み立てた状態で販売してもかまわないが、後述する図５における組立手順は工具も必要なく簡単なものであるため、組立前の状態でゴミ袋収容ロール体１をユーザに販売したり配送することもできる。
【００３２】
図３は、図２のゴミ袋収容ロール体１を複数回巻いてロール状にした状態を示す。図３は、例えば組立前の状態のゴミ袋収容ロール体１をユーザに販売したり、配送する際の状態である。この状態でゴミ袋収容ロール体を販売及び配送すると、持ち運びが容易で、配送料金を削減することができる。ゴミ袋収容ロール体１のシート体３は柔らかいクッションフロア材で構成され、縁取り部材７も柔軟性のある樹脂素材で構成されているため、ロール状に丸めることができる。
【００３３】
図４に、図２のゴミ袋収容ロール体１の製造工程を示す。ゴミ袋収容ロール体１の製造工程は工程（I）〜（VI）を含む。
【００３４】
まず工程（I）において、市販のクッションフロア材などから所望の大きさに切り出した第１シート４と第２シートとを用意する。その後、第１シート４と第２シート５との第１長辺９及び第２長辺１１を一致させ、第１短辺８と第２短辺１０とをゴミ袋収容ロール体１の周方向にずらした状態で重ね合わせて接地面に立てて置く。この時、第１シート４の裏面と第２シート５の裏面とを、第１露出部１２に隣接する接着部Ｔにおいてあらかじめ接着剤で貼り合わせておく。
【００３５】
次に、工程（II）において、貼り合わせた第１シート４と第２シート５の第１長辺９と第２長辺１１に重なる部分に縁取り部材７をはめこむ。縁取り部材７は、市販されている略Ｕ字状の横断面形状を備えた塩化ビニール材を用いて、指などで適宜縁取り部材７を広げながら第１シート４と第２シート５とを挟んでいく操作をゴミ袋収容ロール体１の周方向に沿って行う。
【００３６】
工程（III）では第１シート４と第２シート５とを貼り合わせたシート体３に一対の縁取り部材７を取り付けた状態である。
【００３７】
工程（IV）において、縁取り部材７の周方向に沿って、例えば５センチメートル間隔で、縁取り部材７の内側を接着剤で接着する。この図のＴ′が縁取り部材７の接着部に相当する。縁取り部材７の内側を指などで広げ、第１シート４，第２シート５、縁取り部材７の内側が互いに接着されるように、接着剤で固定していく。このようにすることで、第１シート４と第２シート５とがしっかりと貼り合わされ、シワもよりにくい。
【００３８】
工程（Ｖ）では、前記工程により一対の縁取り部材７を第１シート４と第２シート５に縁取らせて接着した後で、第２露出部１３に隣接する接着部Ｔ２において第１シート４と第２シート５の裏面同士を接着剤で貼り合わせる。工程（Ｉ）で形成した接着部Ｔ及びこの工程で形成する接着部Ｔ２以外の箇所においても、第１シート４の裏面と第２シート５の裏面を貼り合わせてもかまわないが、全面を接着剤で貼り合わせる等、接着する面積が大きすぎるとシワが寄りやすくなる場合がある。
【００３９】
工程（VI）は上記工程（I）〜（Ｖ）により図２に示したゴミ袋収容ロール体１が構築された状態である。
【００４０】
図５に、図４で製造したゴミ袋収容ロール体１を図１のように円筒状に組み立てる方法を概念図により示す。
【００４１】
ゴミ袋収容ロール体１の第１露出部１２の表面には、あらかじめ例えば両面テープのように、接着剤が塗布され、はくり紙などで覆われた接着部Ｔ″が形成されている。ユーザは接着部Ｔ″のはくり紙をはがして第１露出部１２と第２露出部１３とを貼り合わせて、図１のような円筒状のゴミ袋収容ロール体１を組み立てる。この図では第１露出部１２に接着部Ｔ″が設けられているが第２露出部１３のほうに設けてもかまわない。
【００４２】
図６に、図１に示したゴミ袋収容ロール体１の使用方法の一例を説明する概念図を示す。ゴミ袋収容ロール体１の使用方法は例えば工程（Ａ）〜（Ｅ）を含む。工程（Ａ）〜（Ｄ）は、接地面（図示なし）に設置したゴミ袋収容ロール体１を図１の上下方向の上方向から見た正面図であり、工程（Ｅ）は図１の上方向から見た斜視図である。
【００４３】
工程（Ａ）は、接地面に平置きしたゴミ袋収容ロール体１にゴミ袋２を収容し、扁平状にひしゃげさせた状態である。この時のゴミ袋収容ロール体１の厚み１７は例えば１０センチメートルである。この工程は、ゴミ袋２の使い始めにまだゴミが入っていない状態、あるいはゴミが少量のみ入っている場合であって、扁平につぶした状態にすることにより冷蔵庫と家具の隙間や、家具と壁の隙間などの狭いスペースにゴミ袋収容ロール体１を収納しておくことができ、ゴミ袋２が容量の大きなものであっても邪魔になりにくい。
【００４４】
工程（Ｂ）は、工程（Ａ）よりもゴミ袋収容ロール体１の厚みを広げた状態であり、工程（Ａ）よりもゴミ袋２の中のゴミが増えた状態である。同様にゴミ袋２の中のゴミの量が増えるごとに工程（Ｃ）、工程（Ｄ）とゴミ袋収容ロール体１の厚みを広げていく。工程（Ｄ）はゴミ袋収容ロール体１の厚みが最も広がった状態であり図１と同様の状態である。工程（Ｅ）ではゴミが８割程度入ったゴミ袋２の開口部を結び、ユーザの手Ｍによってゴミ袋収容ロール体１を上方向に引き上げると、ゴミ袋収容ロール体１には底がないので、ゴミ袋２だけが接地面に残る。
【００４５】
上述の工程（Ｅ）によれば、ゴミ袋２が４５リットルなど容量の大きいものであって、中身がいっぱいで重い場合にもゴミ袋２を上方向まで持ち上げる必要がなく、またゴミ袋収容ロール体１自身もクッションフロア材などの非常に軽い材料で構成されているため、ユーザの体力が少ない場合や腰が悪い場合等であっても使用に支障が生じることがない。
【００４６】
ゴミ袋収容ロール体１の使用方法は、上述の方法に限らず、最初から最後まで同じ厚み１７のままで使用してもよい。その場合もゴミ袋収容ロール体１は柔らかい素材で構成されているので家具と家具の隙間などに所望の厚み１７に調整して収納しておくことができる。
【００４７】
ゴミ袋収容ロール体１の第１模様１８及び第２模様１９を家具や床の模様や色と合わせることでゴミ袋収容ロール体１を家具間に設置したときに目立ちにくくさせ、床や家具との統一感を付与することもでき、またユーザの所望の色や柄の第１模様１８及び第２模様１９とすることで装飾性を付与することもできる。
【００４８】
＜実施形態の効果＞
図５に示したように、ユーザは、シート体３の一端側にある第１シート４の第１露出部１２を外周側Ｐ、第２シート５の第２露出部１３を内周側Ｉ、としつつ、第１露出部１２と第２露出部１３とを径方向に重ねるようにして貼り合わせることで、簡単に円筒形状のゴミ袋収容ロール体１を形成し、ゴミ箱（正確にはゴミ袋の収容箱）として利用することができる。実際のサイズとしては例えば４５リットルの容量のゴミ袋２の８割程度がちょうど収まるようにすることができる。
【００４９】
ゴミ袋収容ロール体１は円筒形状で底がないので、図６に示したように、組立後、使用前は、径方向に押圧して扁平にしておくことで、家具や冷蔵庫と壁との隙間等、狭いスペースに収納しておくことができ、邪魔にならない。押圧の度合いにより扁平度を可変にできるので、使用開始後においても、ゴミ袋２中のゴミが少なければやや扁平とし、ゴミの増大に伴ってゴミ袋収容ロール体１の大きさを徐々に大きくすることも可能である。そして、ゴミ袋収容ロール体１内部のゴミ袋の中が８割程度になったら、ゴミ袋収容ロール体１のほうを上方へ引き抜くことで、簡単にゴミ袋２から分離でき、残ったゴミ袋２をゴミ捨て場に持っていくことができる。
【００５０】
シート体３において裏面同士が固定されている第１シート４及び第２シート５の大部分が軸心方向両側にある一対の縁取り部材７で縁取られている。これにより、第１シート４と第２シート５とが堅固に固定され、輸送時、組立前、さらにゴミ袋収容ロール体１として組み立てた後においても、ばらけたりほどけたりするのが防止できる。縁取り部材７は、ゴミ袋収容ロール体１における上下端の強度補強としても寄与し、さらに外観上の見た目の美観も向上できる。
【００５１】
また、さらに、ゴミ袋収容ロール体１は、ホームセンター等で売っているクッションフロア材を用いて手軽かつ安価に構成することができる。例えば木目調の第１模様１８及び第２模様１９を用いたクッションフロア材を用いて第１シート４及び第２シート５を構築することで、ゴミ袋収容ロール体１の外観を落ち着いたものとすることができ、良好な美観とすることができる（目に優しい効果がある）。
【００５２】
また、さらには、断面Ｕ字状の縁取り部材７で第１シート４及び第２シート５の軸心方向両端部をそれぞれ包み込むように縁取ることにより、確実にそれら第１シート４及び第２シート５を堅固に固定し、シート体３さらにはゴミ袋収容ロール体１の剛性を向上することができる。
【００５３】
なお、以上の説明において、「垂直」「平行」「平面」等の記載がある場合には、当該記載は厳密な意味ではない。すなわち、それら「垂直」「平行」「平面」とは、設計上、製造上の公差、誤差が許容され、「実質的に垂直」「実質的に平行」「実質的に平面」という意味である。
【００５４】
なお、以上の説明において、外観上の寸法や大きさが「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
【００５５】
また、以上既に述べた以外にも、上記実施形態や各変形例による手法を適宜組み合わせて利用しても良い。
【００５６】
その他、一々例示はしないが、本考案は、その趣旨を逸脱しない範囲内において、種々の変更が加えられて実施されるものである。
【符号の説明】
【００５７】
１                    ゴミ袋収容ロール体
２                    ゴミ袋
３                    シート体
Ｘ                    軸心
４                    第１シート体
５                    第２シート体
Ｐ                    外周側
Ｉ                    内周側
６                    固定体
７                    縁取り部材
８                    第１短辺
９                    第１長辺
１０                  第２短辺
１１                  第２長辺
Ｌ１                  第１長辺の長さ
Ｌ２                  第２長辺の長さ
１２                  第１露出部
１３                  第２露出部
１４                  第１中心位置
１５                  第２中心位置
１６                  部位
１７                  厚み
１８                  第１模様
１９                  第２模様
Ｔ、Ｔ′、Ｔ″、Ｔ２  接着部
Ｍ                    手
【図１】
0003233086.tif 000003
【図２】
0003233086.tif 000004
【図３】
0003233086.tif 000005
【図４】
0003233086.tif 000006
【図５】
0003233086.tif 000007
【図６】
0003233086.tif 000008